(57)【要約】  本開示の実施形態は、セルラーネットワーク内の休止状態のアクセスノードを検出し、ウェイクアップするためのデバイス及び方法に対して向けられる。一実施形態において、休止状態のアクセスノードは、デバイスツーデバイス検出プロセスに受動的に参加して、近くにある潜在的なユーザ機器を特定する。潜在的なユーザ機器を識別すると、休止状態のアクセスノードは、それ自体をウェイクアップし、サービングアクセスノードに、ユーザ機器をサーブできることを通知する。別の実施形態では、休止状態のアクセスノードは、検出メッセージを周期的に送信してよい。検出メッセージを受信すると、ユーザ機器は、休止状態のアクセスノードの利用可能性をそのサービングアクセスノードに報告してよい。
2017509241.tif 000002
【特許請求の範囲】
【請求項１】
第１アクセスノードに実装される装置であって、
ユーザ機器（ＵＥ）から検出メッセージを受信する通信回路と、
前記検出メッセージに少なくとも部分的に基づいて、前記第１アクセスノードにより、サービングセルの提供を開始する処理回路と、
第２アクセスノードにメッセージを送信する報告回路と、
を備え、前記第２アクセスノードは、前記第１アクセスノードが前記ＵＥをサーブするのに利用可能であることを示す前記検出メッセージに少なくとも部分的に基づいて、前記第１アクセスノードによる前記サービングセルの提供の前に、前記ＵＥをサーブする、装置。
【請求項２】
前記処理回路は、前記サービングセルの提供を開始すると、第１同期信号（ＰＳＳ）、第２同期信号（ＳＳＳ）、及び共通基準信号（ＣＲＳ）のうちの少なくとも１つの前記送信を開始する、請求項１に記載の装置。
【請求項３】
前記第１アクセスノードは第１サービスエリアをサーブし、前記第２アクセスノードは第２サービスエリアをサーブし、前記第１サービスエリア及び前記第２サービスエリアは少なくとも部分的に重複する、請求項１に記載の装置。
【請求項４】
前記第１サービスエリアは、前記第２サービスエリアより小さい、請求項３に記載の装置。
【請求項５】
前記第１サービスエリアは、実質的に前記第２サービスエリアに等しい、請求項３に記載の装置。
【請求項６】
前記第２アクセスノードへの前記メッセージは、前記第２アクセスノードに対してハンドオーバー手順を開始する要求を含む、請求項１に記載の装置。
【請求項７】
前記第２アクセスノードへの前記メッセージは、前記第１アクセスノードにより提供される前記サービングセルに関する情報がサービングセル測定構成に含まれる要求を含む、請求項１に記載の装置。
【請求項８】
前記検出メッセージは、デバイスツーデバイス（Ｄ２Ｄ）検出プロトコルに関連付けられる、請求項１から７のいずれか一項に記載の装置。
【請求項９】
第１アクセスノードに実装される装置であって、
検出メッセージを送信し、第２アクセスノードからウェイクアップメッセージを受信する通信回路と、
前記ウェイクアップメッセージに少なくとも部分的に基づいて、前記第１アクセスノードにより、サービングセルの提供を開始する処理回路と、
を備える装置。
【請求項１０】
前記処理回路は、さらに、前記第１アクセスノードがサービングセルの提供を開始すると、第１同期信号（ＰＳＳ）、第２同期信号（ＳＳＳ）、及び共通基準信号（ＣＲＳ）のうちの少なくとも１つの前記送信を開始する、請求項９に記載の装置。
【請求項１１】
ＵＥをサーブしない場合、ウェイクアップメッセージを受信する前に、前記第１アクセスノードは、ＰＳＳ，ＳＳＳ、及びＣＲＳを送信しない、請求項１０に記載の装置。
【請求項１２】
前記検出メッセージは、デバイスツーデバイス（Ｄ２Ｄ）検出プロトコルに関連付けられる、請求項９から１１のいずれか一項に記載の装置。
【請求項１３】
ユーザ機器（ＵＥ）に実装される装置であって、
第１アクセスノードから検出メッセージを受信する通信回路と、
前記第１アクセスノードに対して測定を要求する第２アクセスノードにメッセージを送信する報告回路と、
を備える装置。
【請求項１４】
前記第１アクセスノードからの前記検出メッセージに基づいて品質指標を測定する測定回路をさらに備える、請求項１３に記載の装置。
【請求項１５】
前記品質指標は、信号対ノイズ比（ＳＮＲ）である、請求項１４に記載の装置。
【請求項１６】
前記通信回路は、さらに、少なくとも１つの追加アクセスノードから検出メッセージを受信し、
前記装置は、さらに、前記第１アクセスノードからの前記検出メッセージに基づいて第１品質指標を、前記少なくとも１つの追加アクセスノードからの前記検出メッセージに基づいて第２品質指標を測定する測定回路を備える、請求項１３に記載の装置。
【請求項１７】
前記装置は、さらに、前記報告回路に通信可能に結合される処理回路を備え、前記処理回路は、
前記第１及び第２品質指標を比較し、
前記比較に基づいて優先アクセスノードを特定し、
前記優先アクセスノードに関する情報を報告のために前記報告回路に送信する、請求項１６に記載の装置。
【請求項１８】
前記通信回路は、さらに、前記ＵＥが前記第１アクセスノードに関連する測定レポートを生成することを要求する前記第２アクセスノードからメッセージを受信する、請求項１３に記載の装置。
【請求項１９】
前記第１アクセスノードからの前記検出メッセージは、デバイスツーデバイス（Ｄ２Ｄ）検出プロトコルに関連付けられる、請求項１３から１８のいずれか一項に記載の装置。
【請求項２０】
進化型ノードＢ（ｅＮＢ）に実装される装置であって、
ユーザ機器（ＵＥ）及びアクセスノードの一方から、前記ＵＥをサーブするアクセスノードの利用可能性に関する第１メッセージを受信する通信回路と、
前記ＵＥ及び前記アクセスノードの他方に、前記アクセスノードの前記利用可能性及び前記ＵＥの存在の一方に関する第２メッセージを送信する報告回路と、
を備える装置。
【請求項２１】
前記第１メッセージはＵＥから送信され、前記アクセスノードに対する測定の要求を含む、請求項２０に記載の装置。
【請求項２２】
前記第２メッセージは、前記アクセスノードに送信され、ウェイクアップコマンドを含む、請求項２１に記載の装置。
【請求項２３】
前記第１メッセージはアクセスノードから送信され、特定のＵＥのハンドオーバーの要求を含む、請求項２０に記載の装置。
【請求項２４】
前記報告回路は、さらに、前記ＵＥに、前記第２メッセージに代えて又は加えて前記アクセスノードに関連する測定レポートの要求を送信する、請求項２０に記載の装置。
【請求項２５】
前記第１メッセージは、デバイスツーデバイス（Ｄ２Ｄ）検出プロトコルに関連付けられる、請求項２０から２４のいずれか一項に記載の装置。
【発明の詳細な説明】
【技術分野】
【０００１】
［関連出願への相互参照］
この出願は、「デバイス間検出プロトコルを通じたセル検出及びウェイクアップ」と題した２０１４年３月２８日に出願された米国特許出願第１４／２２９６５２に優先権を主張し、全開示が参照によりそのまま本明細書に組み込まれる。
【０００２】
本開示の実施形態は、概して、セルラーネットワークの分野に関し、より詳細には、ネットワーク内で休止状態のアクセスノードをウェイクアップするための技術を採用する技術及び装置に関する。
【背景技術】
【０００３】
セルラーネットワークがより密集するにつれ、ネットワークオペレータは、計画された要求を満たすために、より小さいセルを数桁に展開し続ける。これらのより小さいセルの存在は、マクロセルからオフロードトラヒックを助けるが、望ましくない干渉を生じ得る。幾つかの状況では、より小さいセルは、ユーザにアクティブにサーブしていなくてよいが、少なくともダウンリンク共通チャネルを送信し続けてよい。この継続的な送信は、特にアクセスノードの密度が高いところで、望ましくない干渉を引き起こすかもしれない。さらに、これらの継続的な送信は、エネルギーを不必要に費やし得る。従って、それらがユーザにサーブしていない場合にアクセスノードを休止状態に入れて、干渉を制限し、電力を節約することは有益である。
【０００４】
アクセスノードを休止状態に入れることで干渉を防ぎ、電力を節約し得るとともに、休止状態のアクセスノードの検出及び再アクティブ化のための新しいチャレンジを生み出す。概して、検出技術は、ユーザ機器及びスモールセルの位置を知る（進化型ノードＢ（ｅＮＢ）により提供される）マクロセルに依存し、これにより、ｅＮＢは、ＵＥが近くにある場合にスモールセルをウェイクアップし得る。このアプローチは、特定の欠点を有する。第１に、ＵＥ又はスモールセルの位置は、幾つかの状況では、特に屋内環境において、正確でも利用可能でもないかもしれず、ｅＮＢが、ＵＥが休止状態のスモールセルの近くにあるかどうかを正しく判断するのを妨げる。第２に、ｅＮＢは、ｅＮＢのオペレータにより配置されないそれらのように、幾つかのスモールセルを認識しないかもしれず、それにより、ｅＮＢは、ＵＥが近くにあった場合にこれらのスモールセルをウェイクアップすることができない。
【図面の簡単な説明】
【０００５】
複数の実施形態は、複数の添付の図面と併せて、以下の詳細な説明により容易に理解されるであろう。この説明を容易にするために、同様の符号は、同様の構造要素を示す。複数の実施形態は、例示として示され、添付の図面の形態に限定されるものではない。
【図１】幾つかの実施形態に従ってマクロセル及び幾つかのスモールセルを含むネットワークを概略的に示す。
【図２】幾つかの実施形態に従ってアクセスノード検出及びウェイクアッププロセスを概略的に示す。
【図３】幾つかの実施形態に従って検出及びウェイクアッププロセスと一貫性のある休止状態のアクセスノードにより実行されるプロセスを概略的に示す。
【図４】幾つかの実施形態に従ってアクセスノード検出及びウェイクアッププロセスを概略的に示す。
【図５】幾つかの実施形態に従って検出及びウェイクアッププロセスと一貫性のある休止状態のアクセスノードにより実行されるプロセスを概略的に示す。
【図６】幾つかの実施形態に従って検出及びウェイクアッププロセスにおいてユーザ機器により実行されるプロセスを概略的に示す。
【図７】幾つかの実施形態に従って検出及びウェイクアッププロセスにおいてサービングアクセスノードにより実行されるプロセスを概略的に示す。
【図８】幾つかの実施形態に従って検出及びウェイクアッププロセスを実装するためのシステムを概略的に示す。
【発明を実施するための形態】
【０００６】
本開示の実施形態は、休止状態のアクセスノードを検出及びウェイクアップするための方法及び装置を説明する。これらの実施形態は、アクセスノードの効率的な検出及び利用を提供することを目論むとともに、アクセスノードを休止状態に移行させることで電力を節約し、干渉を制限する。
【０００７】
以下の説明において、複数の例示的な実装の様々な態様は、当業者により一般的に採用される用語を用いて説明されることで、それらの仕事の本質を他の当業者に伝達するであろう。
【０００８】
しかしながら、本開示の実施形態は、説明する態様のうちの幾つかのみを用いて実施することができることが当業者には明らかであろう。説明の目的で、例示的な実装の十分な理解を提供するために、具体的な数、材料及び構成を規定する。しかしながら、本開示の実施形態は具体的な詳細がなくても実施することができることが一当業者には明らかであろう。他の例では、周知の特徴は、例示的な実装を不明確にしないために、省略され又は簡略化される。
【０００９】
以下の詳細な説明では、本明細書の一部を形成する複数の添付の図面に対し、参照がなされる。そこでは随所にわたり、同様の数字が同様の部分を示し、本開示の主題を実施可能な複数の実施形態が例示を目的として、示される。複数の他の実施形態が利用され得、本開示の範囲を逸脱することなく、複数の構造上の変更または複数の論理上の変更が行われ得ることが理解されよう。従って、以下の詳細な説明は限定的な意味で解釈されるべきでなく、複数の実施形態の範囲は、添付の特許請求の範囲及びそれらの均等物によって定義される。
【００１０】
本開示の目的のため、「Ａ及び／又はＢ」という表現は、（Ａ）、（Ｂ）、又は（Ａ及びＢ）を意味する。本開示の目的のため、「Ａ、Ｂ、及び／又はＣ」との表現は、（Ａ）、（Ｂ）、（Ｃ）、（Ａ及びＢ）、（Ａ及びＣ）、（Ｂ及びＣ）、又は（Ａ、Ｂ、及びＣ）であることを意味する。
【００１１】
説明は、同一又は異なる実施形態のうちの１又は複数をそれぞれ参照し得る表現「実施形態では」、「複数の実施形態では」、又は「幾つかの実施形態では」を用いてよい。さらに、「備える」、「含む」、「有する」等の用語は、本開示の実施形態に関して用いられるときは同義である。
【００１２】
用語「と結合」はその派生物とともに、本明細書で用いられる。「結合された」は、次の１又は複数を意味してよい。「結合」は、２又はそれより多くのエレメントが、直接物理的に又は電気的に接触することを意味してもよい。しかしながら、「結合」は、２又はそれより多くのエレメントが間接的に互いに接触することを意味してもよいが、まだ互いに協働又は作用し、また１又は複数の他のエレメントが、互いに結合されると言われるエレメント間に結合又は接続されることを意味してもよい。用語「直接結合」は、２又はそれより多くのエレメントが直接接触することを意味してよい。
【００１３】
本明細書で用いられるように、用語「回路」は、記載された機能を提供するよう構成された特定用途向け集積回路（ＡＳＩＣ）、電子回路、論理回路、プロセッサ（共用、専用、又は群）及び／又はメモリ（共用、専用、又は群）のようなハードウェアコンポーネントの一部を指す又は含む。幾つかの実施形態では、回路は、１又は複数のソフトウェア又はファームウェアプログラムを実行して、記載された機能のうちの少なくとも幾つかを提供し得る。
【００１４】
本明細書で用いられるように、用語「モジュール」は、１又は複数のソフトウェア又はファームウェアプログラムを実行する特定用途向け集積回路（ＡＳＩＣ）、電子回路、システムオンチップ（ＳｏＣ）、プロセッサ（共用、専用、又は群）、及び／又はメモリ（共用、専用、又は群）、論理回路の組み合わせ、及び／又は記載された機能を提供するその他の適当なコンポーネントの一部指す又は含み得る。
【００１５】
さらに、様々な操作が、複数の個別の操作として説明され、同様に、複数の例示的な実施形態を理解する際に最も役立つ態様で説明されるであろう。しかしながら、説明の順序が、これらの操作が必ず順序に依存することを示唆するものと解釈されるべきではない。特に、これらの操作は、提示した順序で実行される必要はない。
【００１６】
図１は、一実施形態に係る例示的な無線通信ネットワーク１００を示す。無線通信ネットワーク１００（以下「ネットワーク１００」）は、進化型ユニバーサル地上波無線アクセスネットワーク（Ｅ−ＵＴＲＡＮ）のような第３世代パートナーシッププロジェクト（３ＧＰＰ）ロングタームエボリューション（ＬＴＥ）ネットワークのアクセスネットワークであってよい。ネットワーク１００は、無線マクロセル１１０を提供する進化型ノードＢ（ｅＮＢ）１０５のような、他のエレメントの中で、比較的高電力の基地局を特徴づける。
【００１７】
ユーザ機器（ＵＥ）１５０をサーブ（サービス提供）する、そうでなければネットワーク１００における無線通信を処理及び／又は管理するために、ｅＮＢ１０５は、処理回路１０６、報告回路１０７、及び通信回路１０８を含み得る。処理回路１０６は、これらに限定されないが、ＵＥ１５０をサーブする無線セルを提供すること、測定される無線リソース管理（「ＲＲＭ」）メトリック及びそれらのメトリックに対する複数の閾値を決定すること、及び複数のセルアイデンティティ（例えば、物理層セルアイデンティティ及び／又はグローバルセルアイデンティティ）及び関連付けられる複数のＲＲＭ測定のようなＵＥ１５０から受信されるデータを処理することを含むネットワーク１００内の様々なタスクを実行するよう適合されてよい。報告回路１０７は、複数の要求及び／又は構成情報のようなデータを、ＵＥ１５０及び／又はノード１１５に送信し、そこからデータ（例えば、応答）を受信するよう適合されてよい。通信回路１０８は、複数の検出処理に関連付けられる複数のメッセージを送信及び／又は受信するよう適合されてよい。幾つかの実施形態では、これらのメッセージは、複数のデバイスツーデバイス（Ｄ２Ｄ）検出プロトコルに関連付けられてよい。
【００１８】
ネットワーク１００において、ＵＥ１５０は、ＵＥが無線マクロセル１１０内にあるｅＮＢ１０５に接続する。ＵＥ１５０は、例えばハンドヘルド電話、ラップトップコンピュータ、又はモバイルブロードバンドアダプタを備えた他の類似のデバイスのような３ＧＰＰ仕様に係るｅＮＢ１０５に接続するよう適合される任意のデバイスであってよい。幾つかの実施形態によれば、ＵＥ１５０は、モビリティ管理、呼び出し制御、セッション管理、Ｄ２Ｄ検出、及びアイデンティティ管理を含むネットワーク１００内の１又は複数のタスクを処理するよう適合されてよい。
【００１９】
データを処理し、ｅＮＢ１０５及び／又はノード１１５と通信し、そうでなければネットワーク１００内で機能するために、ＵＥ１５０は、これらに限定されないが、処理回路１５５、測定回路１６５、報告回路１６０、及び通信回路１７０を含み得る。処理回路１５５は、様々なアクセスノードに関連付けられる複数の品質指標を比較すること、及びｅＮＢ１０５及びノード１１５の一方又は両方により送信される複数の物理信号（例えば、第１同期信号、第２同期信号、及び／又は共通基準信号）を検出することのような、ＵＥ１５０に対する複数のタスクを実行するよう適合されてよい。測定回路１６０は、複数のアクセスノードに対する複数の品質指標を測定するよう適合されてよい。これらの測定は、複数のアクセスノードから受信される複数の検出メッセージに少なくとも部分的に基づいてよい。報告回路１６０は、休止状態のアクセスノードの存在を、ｅＮＢ１０５のようなサービングアクセスノードに報告するよう適合されてよい。最終的に、通信回路１７０は、ｅＮＢ１０５、ノード１１５、又は別のデータソース／レシピエントにデータを送信、またそれからデータを受信するよう適合されてよい。通信回路１７０は、さらに、検出メッセージを送信及び／又は受信するよう適合されてよい。これらの検出メッセージは、Ｄ２Ｄ検出プロトコルに関連付けられてよい。
【００２０】
また、複数の低電力無線アクセスノード１１５が、無線ネットワーク環境１００に含まれる。複数の低電力無線アクセスノード１１５は、複数のスモールセル１２０を提供する。実施形態によれば、複数のスモールセル１２０は、フェムトセル、ピコセル、マイクロセル、又は約２キロメートル（ｋｍ）より小さい範囲を有する実質的に任意の同様のセルであってよい。幾つかの構成では、スモールセル１２０は、約５００メートルより小さい範囲を有し得る。この構成では、ＵＥは、マクロ層及びローカルノード層カバレッジの両方を提供してよい。そのようなカバレッジの利益を利用して、帯域幅及び／又はネットワーク確実性（例えば、マクロセル１１０のエッジの近傍）は、そのようなデータオフロード、キャリアアグリゲーション、及び他の類似の技術を通じてＵＥ１５０に対して増加されてよい。図示の実施形態では、マクロセル１１０の範囲は、複数のスモールセル１２０のそれぞれに到達するには不十分であり得、従って、複数のスモールセル１２０の全てがマクロ層カバレッジを有しない。
【００２１】
各アクセスノード１１５は、ｅＮＢ１０５に対する相補回路を含み得る。例えば、各スモールセルは、上述のそれらの機能を実行するために、通信回路、処理回路、及び報告回路を含み得る。スモールセル１２０を提供するアクセスノード１１５は、それらがＵＥをサーブしていない場合、休止状態に置かれてよい。休止状態の場合、アクセスノードはサービングセルを提供しない。幾つかの実施形態では、休止状態のアクセスノードは、第１同期信号（ＰＳＳ）、第２同期信号（ＳＳＳ）、又は共通基準信号（ＣＲＳ）を送信しなくてよい。以下に説明されるように、休止状態のアクセスノードは、部分的に及び／又は周期的に起動されて、検出メッセージを送信及び／又は受信して、検出及びウェイクアップ処理に参加してよい。幾つかの実施形態では、休止状態のアクセスノードは、Ｄ２Ｄプロトコルに関連付けられる検出メッセージを送信及び／又は受信することができてよい。
【００２２】
図２は、幾つかの実施形態に従うアクセスノード検出及びウェイクアッププロセス２００を示す。プロセス２００では、休止状態のアクセスノード（図２においてスモールセル１により示される）は、Ｄ２Ｄ検出プロセス中に部分的に起動されて、休止状態のアクセスノードの近くにあり得る複数のＵＥから複数の検出メッセージを受信してよい。このプロセスでは、休止状態のスモールセルは、それ自体の検出メッセージを送信しなくてよいが、むしろ、複数の検出メッセージを待機して１又は複数ＵＥが近くにあるかどうかを参照してよい。
【００２３】
Ｄ２Ｄ検出プロセスは、周期的に発生してよい。このタイムフレーム中、各ＵＥは、検出メッセージをブロードキャストしてよい。これは、ＵＥ１が、ＵＥ２又はスモールセル１により受信され得る検出メッセージをブロードキャストする２０２にて参照されることができる。同様に、２０４は、ＵＥ２が、ＵＥ１又はスモールセル１により受信され得る検出メッセージをブロードキャストするのを示す。休止状態のスモールセル１に対するアクセスノードは、Ｄ２Ｄ検出プロセス中に部分的にウェイクアップされて、複数の検出メッセージを待機してよい。
【００２４】
Ｄ２Ｄ検出プロセスは、ネットワーク制御又はＵＥベースのいずれであってよい。ネットワーク制御Ｄ２Ｄ検出に対して、ネットワークは、ＵＥ及びスモールセルＩＤを特定の複数の検出ビーコンにマッピングしてよい。ＵＥベースＤ２Ｄ検出に対して、後でより詳細に説明されるように、スモールセル検出メッセージは、スモールセルＩＤ、スモールセルの能力、並びにＵＥによる使用のための他の情報を指定する情報を含み得る。
【００２５】
１又は複数の検出メッセージを受信すると、休止状態のスモールセルは、ＵＥが近くにあり、スモールセルによりサーブされることができたことを知り得る。図２では、スモールセル１は、ＵＥ２が近くにあることを知る。ＵＥ２が近くにあることを知ると、スモールセル１に対するアクセスノードは、ウェイクアップし、サービングセルの提供を始めてよい。これは、ＰＳＳ、ＳＳＳ、及びＣＲＳのうちの１又は複数を送信することを含み得る。スモールセル１に対するアクセスノードは、メッセージ２０６を、現在ＵＥ２（図２におけるｅＮＢ）をサーブしているアクセスノードに送信してもよい。このメッセージは、スモールセル１がウェイクアップしている又はウェイクアップのプロセス中にあること、またスモールセル１がＵＥ２をサーブするのに利用可能であることを示してよい。メッセージは、スモールセル１に対するアクセスノードがサービングセルの提供を開始する前、後、又は同時に送信されてよい。メッセージは、スモールセル１に関する情報が測定構成に追加される要求を含み得る。メッセージは、ＵＥ２をその現在のサービングセルから現在アクティブなスモールセル１に転送するために、現在ＵＥ２をサーブしているアクセスノードに対する要求を含めて、ハンドオーバープロセスを開始してもよい。メッセージを送信する前に、休止状態のスモールセルに対するアクセスノードは、現在ＵＥ２をサーブしているアクセスノードと直接接続（例えば、Ｘ２接続）を確立して、複数のアクセスノード間の通信を促進してよい。
【００２６】
スモールセル１に対するアクセスノードからメッセージを受信すると、現在ＵＥ２（図２におけるｅＮＢ）をサーブしているアクセスノードは、ハンドオーバープロセスを開始してよい。これは、スモールセル１に関する情報を測定構成に追加することを含み得る。２０８にて現在ＵＥ２（図２におけるｅＮＢ）をサーブしているアクセスノードは、無線リソース制御（ＲＲＣ）接続再設定メッセージをＵＥ２に送信してよい。ＲＲＣ接続再設定メッセージは、スモールセル１に関する情報を含む測定構成を含み得る。
【００２７】
ＲＲＣ接続再設定メッセージを受信すると、ＵＥ２は、スモールセル１を検出してよい。これは、スモールセル１を提供するアクセスノードにより送信されるＰＳＳ、ＳＳＳ、又はＣＲＳのうちの１又は複数を検出することを含み得る。ＵＥ２は、スモールセル１に関連する１又は複数の信号特性を測定し得る。これは、スモールセル１に対するリファレンス信号受信電力（ＲＳＲＰ）、リファレンス信号受信品質（ＲＳＲＱ）、又は受信信号強度インジケータ（ＲＳＳＩ）のうちの１又は複数を測定することを含み得る。２１０にて、ＵＥ２は、測定レポートを、現在ＵＥ２（図２におけるｅＮＢ）をサーブしているアクセスノードに送信してよい。測定レポートに基づいて、現在ＵＥ２（図２におけるｅＮＢ）をサーブしているアクセスノードはハンドオーバーを決定してよく、ハンドオーバープロセスは、複数の３ＧＰＰ  ＬＴＥ仕様に含まれるそれらのような任意の適当な技術に従って続けてよい。
【００２８】
従って、Ｄ２Ｄ検出プロセス中に部分的にウェイクアップすることにより、休止状態のアクセスノードは、近くにあるＵＥを見つけ、ウェイクアップして、ＵＥに対してサービングセルを提供してよい。このように、休止状態のアクセスノードは、ネットワークにより提供される複数の位置測定又は別のアクセスノードに依存することなく、ＵＥから直接受信する複数の検出メッセージに基づいてウェイクアップされてよい。これは、休止状態のアクセスノードに、近くにあるＵＥを効率的に検出できるようにし得るとともに、現在ＵＥをサーブしていない場合にアクセスノードが過剰の電力を消費し、干渉を増加するのを妨げる。
【００２９】
スモールセルを提供する休止状態のアクセスノードの文脈において説明されるが、本明細書で説明される複数のプロセスは、マクロセルを提供する（ｅＮＢのような）アクセスノードを検出し、ウェイクアップするために用いられてもよい。一般的には、複数のプロセスは、サービングセルのサイズに関係なく任意の休止状態のアクセスノードの検出及びウェイクアップを促進するために用いられることができる。
【００３０】
図３は、休止状態のアクセスノードが近くにあるＵＥを検出し、ウェイクアップし得る、上述のプロセス２００と一貫性のあるプロセス３００を示す。プロセス３００は、休止状態のアクセスノードがＵＥから検出メッセージを受信する３０２にて始まってよい。検出メッセージは、Ｄ２Ｄ検出プロセスと関連付けられてよい。休止状態のアクセスノードは、任意のＵＥをサーブしていなくてよく、従って、ウェイクアップの前に送信していなくてよい。幾つかの実施形態では、アクセスノードは、ＵＥをサーブしていない場合、送信を停止してよい。これは、ＰＳＳ、ＳＳＳ、又はＣＲＳ、並びに他の信号の送信を中断することを含み得る。検出メッセージに基づいて、アクセスノードは、ＵＥが、アクセスノードがサービスを提供することができたエリア内にあることを判断してよい。
【００３１】
プロセス３００は、アクセスノードがメッセージを、現在ＵＥをサーブしているアクセスノードに送信する３０４にて継続してよい。これは、送信しているアクセスノードがＵＥをサーブするのに利用可能であるサービングアクセスノードを通知することを含み得る。これは、ハンドオーバープロセスを開始する要求を含んでもよい。メッセージは、さらに、送信しているアクセスノード及び／又はそれが提供できるサービングセルに関する情報が、測定構成に追加される要求を含み得る。アクセスノードは、サービングアクセスノードとのＸ２接続を確立して、メッセージプロセスを促進してよい。
【００３２】
プロセス３００は、アクセスノードがサービングセルの提供を開始する３０６にて継続してよい。これは、アクセスノードがＰＳＳ、ＳＳＳ、及びＣＲＳのうちの１又は複数を送信するのを始めることを含み得る。
【００３３】
プロセス３００は、次に、アクセスノードがＵＥとの接続を確立する３０８にて継続してよい。これは、前にＵＥをサーブするアクセスノードにより制御及び／又は開始されたハンドオーバープロセスの結果であり得る。
【００３４】
図４は、幾つかの実施形態に従って、ＵＥ駆動のアクセスノード検出及びウェイクアッププロセス４００を示す。プロセス４００では、プロセス２００と同様に、ＵＥ１及びＵＥ２は、Ｄ２Ｄ検出プロセス中、それぞれ検出メッセージ４０２及び４０４を送信してよい。休止状態のスモールセル（スモールセル１）に関連付けられるアクセスノードが単純にＵＥに対して複数の検出メッセージを待つプロセス２００と異なり、プロセス３００では、スモールセル１は、アクティブにＤ２Ｄ検出プロセスに参加してよい。４０６にて、スモールセル１に対するアクセスノードは、近くにあるＵＥにより受信され得るそれ自体の検出メッセージをブロードキャストする。スモールセル１の検出メッセージは、スモールセル１を識別する情報、同様にスモールセル１のサービスエリア及び能力に関する情報を含み得る。
【００３５】
プロセス４００では、ＵＥ２は、スモールセル１の近くにあってよく、従って、スモールセル１の検出メッセージを検出し、メッセージが、（信号対ノイズ比（ＳＮＲ）のような）許容可能な品質指標を示すことを判断してよい。４０８にて、ＵＥ２は、メッセージをスモールセル１に関するそのサービングセルに送信してよい。メッセージは、サービングセルに、スモールセル１はＵＥ２をサーブするのに利用可能であることを通知してよい。メッセージは、スモールセル１を含む測定に対する要求を含んでもよい。
【００３６】
ＵＥ２からスモールセル１に関するメッセージを受信すると、サービングセル（図４におけるｅＮＢ）は、４１０にて、メッセージを直接、アクセスノードにウェイクアップを命ずるスモールセル１に対するアクセスノードに送信してよい。このウェイクアップメッセージを受信すると、スモールセル１に対するアクセスノードは、サービングセルを提供し始めてよい。これは、ＰＳＳ、ＳＳＳ、及びＣＲＳのうちの１又は複数を送信することを含み得る。このように、それは、プロセス４００において休止状態のアクセスノードをウェイクアップするサービングアクセスノードからのメッセージである。
【００３７】
ＵＥ２からメッセージを受信すると、現在ＵＥ２（図２におけるｅＮＢ）をサーブしているアクセスノードは、ハンドオーバープロセスを開始してよい。これは、スモールセル１に関する情報を測定構成に追加することを含み得る。４１２にて現在ＵＥ２（図２におけるｅＮＢ）をサーブしているアクセスノードは、ＲＲＣ接続再設定メッセージをＵＥ２に送信してよい。ＲＲＣ接続再設定メッセージは、スモールセル１に関する情報を含む測定構成を含み得る。
【００３８】
ＲＲＣ接続再設定メッセージを受信すると、ＵＥ２は、スモールセル１を検出してよい。これは、スモールセル１を提供するアクセスノードにより送信されるＰＳＳ、ＳＳＳ、又はＣＲＳのうちの１又は複数を検出することを含み得る。ＵＥ２は、スモールセル１に関連する１又は複数の信号特性を測定し得る。これは、スモールセル１に対するリファレンス信号受信電力（ＲＳＲＰ）、リファレンス信号受信品質（ＲＳＲＱ）、又は受信信号強度インジケータ（ＲＳＳＩ）のうちの１又は複数を測定することを含み得る。４１４にて、ＵＥ２は、測定レポートを、現在ＵＥ２（図２におけるｅＮＢ）をサーブしているアクセスノードに送信してよい。測定レポートに基づいて、現在ＵＥ２（図２におけるｅＮＢ）をサーブしているアクセスノードはハンドオーバーを決定してよく、ハンドオーバープロセスは、３ＧＰＰ  ＬＴＥ仕様に含まれるそれらのような任意の適当な技術に従って継続してよい。
【００３９】
ＵＥがＤ２Ｄ検出プロセス中に休止状態のスモールセルを検出するのを許可することにより、プロセス３００は、ＵＥが複数の休止状態のセルの間で選択できるようにし、また特定のセルを選択的にウェイクアップしてＵＥをサーブできるようにしてよい。このように、ＵＥがハンドオーバーを要求するサービングセルに関連付けられるアクセスノードのみが、ウェイクアップされる必要がある。
【００４０】
幾つかの例では、ＵＥは、Ｄ２Ｄ検出中に様々の休止状態のスモールセルを検出してよい。ＵＥは、複数の休止状態のスモールセルのそれぞれに対する検出メッセージに関連付けられる（ＳＮＲ値のような）品質指標を測定してよい。ＵＥは、次に、複数の品質指標を評価又は比較し、比較に基づいて望ましいスモールセルを選択してよい。ＵＥは、従って、幾つかの利用可能なスモールセルを評価し、望ましいスモールセルにのみ関する情報をサービングアクセスノードに送信することができてよい。このように、複数のスモールセルのうちの１つのみがウェイクアップされる。ＵＥに対して、複数の利用可能なスモールセルのリストを用いてサービングセルに要求を送信することもできる。サービングセルは、次に、リスト上の複数のスモールセルをウェイクアップしてよい。ＵＥは、次に、複数のウェイクアップされたスモールセルにより送信されたＣＲＳに基づいてより正確な測定を行い、複数の測定レポートをサービングセルに送信して戻してよい。サービングセルは、次に、ハンドオーバーに対する最高のＲＳＲＰを用いて複数のスモールセルのうちの１つを選択してよい。他の複数のスモールセルは、次に、休止状態に戻ってよい。
【００４１】
図２のプロセス２００は、アクセスノードはＤ２Ｄ検出プロセス中に送信しないが、むしろ、複数の近くにあるＵＥに対して受動的に待機するので、休止状態のスモールセルに対するアクセスノードにより少しのブロードキャストを提供してよい。従って、休止状態のアクセスノードは、たとえＵＥのサーブを終わらせなくても、近くにあるＵＥが検出されると常にウェイクアップするので、プロセス２００は、アクセスノードにプロセス４００より頻繁にウェイクアップすることをもたらしてよい。例えば、単一のＵＥは、複数のスモールセルによりカバーされたサービスエリア内に位置されることができた。この状況において、サービングアクセスノードは、ＵＥから受信する測定レポートに基づいて、ＵＥを、複数のスモールセルのうちの１つにハンドオーバーのみするので、プロセス２００に従って、複数のスモールセルのそれぞれは、近くにあるＵＥを検出し、ウェイクアップするであろう。ＵＥ駆動プロセス４００は、一方、休止状態のアクセスノードにより、送信をより要求するが、ＵＥがハンドオーバーされるアクセスノードのみがウェイクアップされるのを確実にする。複数のスモールセルの密度及び重複するサービスエリアの量を含むネットワークの構成は、複数の特定の状況において他より有利な１つのプロセスを実行してよい。例えば、プロセス２００は、より少ないスモールセル及び／又は少しの重複するサービスエリアを有する複数のネットワークに対して好まれ得る一方で、ＵＥ駆動プロセス４００は、（重複する複数のスモールセルの複数のレベルを有するより多くの都市エリアをカバーする複数のネットワークのような）より密なネットワーク又はより多く重複する表面積を有するそれらに対して好まれ得る。
【００４２】
図５は、休止状態のアクセスノードがウェイクアップされ得る、上述のプロセス４００と一貫性のあるプロセス５００を示す。プロセス５００は、休止状態のアクセスノードがＤ２Ｄ検出プロセス中に検出メッセージを送信する５０２にて始まってよい。検出メッセージは、アクセスノードにより提供されるサービングセルを識別する情報、同様に、サービスエリア及びサービングセルの複数の能力に関する情報を含み得る。休止状態のアクセスノードは、任意のＵＥをサーブしていなくてよく、従って、（その検出メッセージを周期的に送信することを除いて）ウェイクアップの前に送信していなくてよい。幾つかの実施形態では、アクセスノードは、ＵＥをサーブしていない場合、送信を停止してよい。これは、ＰＳＳ、ＳＳＳ、又はＣＲＳ、並びに他の信号の送信を中断することを含み得る。
【００４３】
プロセス５００は、アクセスノードが、現在ＵＥをサーブしているアクセスノードからウェイクアップメッセージを受信する５０４にて継続してよい。現在ＵＥをサーブしているアクセスノードが、休止状態のアクセスノードとのＸ２接続を確立して、メッセージプロセスを促進してよい。
【００４４】
プロセス５００は、アクセスノードがサービングセルの提供を開始する５０６にて継続してよい。これは、アクセスノードがＰＳＳ、ＳＳＳ、及びＣＲＳのうちの１又は複数を送信するのを始めることを含み得る。
【００４５】
プロセス５００は、次に、アクセスノードがＵＥとの接続を確立する５０８にて継続してよい。これは、前にＵＥをサーブするアクセスノードにより制御及び／又は開始されたハンドオーバープロセスの結果であり得る。
【００４６】
図６は、ＵＥが検出し、休止状態のアクセスノードのウェイクアップを要求し得る、上述のプロセス４００と一貫性のあるプロセス６００を示す。
【００４７】
プロセス６００は、ＵＥが休止状態のサービングセルに対するアクセスノードから検出メッセージを受信する６０２にて始まる。検出メッセージは、Ｄ２Ｄ検出プロトコルに関連付けられてよい。上述の通り、ＵＥは、１より多くの休止状態のアクセスノードから複数の検出メッセージを受信してよい。この状況では、ＵＥは、複数の検出メッセージに基づいて複数の品質指標を測定し、複数の品質指標に基づいて望ましいスモールセルを特定してよい。
【００４８】
プロセス６００は、ＵＥがそのサービングアクセスノードに休止状態のアクセスノードに関するメッセージを送信する６０４にて継続してよい。メッセージは、休止状態のアクセスノードにより提供されるサービングセルに対して測定を要求してよい。メッセージは、休止状態のスモールセルがＵＥにサービスを提供するのに利用可能であることを示してもよい。メッセージは、ハンドオーバープロセスを開始する要求を含んでもよい。
【００４９】
プロセス６００は、ＵＥがそのサービングアクセスノードからメッセージを受信する６０６にて継続してよい。メッセージは、ＲＲＣ接続再設定メッセージであってよい。メッセージは、前に休止状態のサービングセルに関する情報を含む測定レポートに対する要求を含み得る。
【００５０】
プロセス６００は、ＵＥが測定レポートを生成し、それをそのサービングアクセスノードに送信する６０８にて継続してよい。これは、前に休止状態のアクセスノードにより送信されたＰＳＳ、ＳＳＳ、ＣＲＳのうちの１又は複数を検出することを含み得る。これは、前に休止状態のアクセスノードにより提供されたサービングセルに関連する１又は複数の信号特性を測定することを含んでもよい。これは、前に休止状態のアクセスノードにより提供されたサービングセルに対するＲＳＲＰ、ＲＳＲＱ、及びＲＳＳＩのうちの１又は複数を測定することを含み得る。
【００５１】
図７は、サービングアクセスノードが休止状態のアクセスノードのウェイクアップを促進し得る、上述のプロセス２００又は４００と一貫性のあるプロセス７００を示す。
【００５２】
プロセス７００は、サービングアクセスノードがＵＥ又は休止状態のアクセスノードのいずれかからメッセージを受信する７０２にて始まってよい。幾つかの実施形態では、上述のとおり、メッセージは、ＵＥからのものであってよく、プロセス４００のメッセージ４０８及び／又はプロセス６００の操作６０４と一貫性があってよい。幾つかの実施形態では、メッセージは、休止状態のアクセスノードからのものであってよく、プロセス２００における２０６及び／又はプロセス３００の操作３０４と一貫性があってよい。
【００５３】
プロセス７００は、サービングアクセスノードがＵＥ又はアクセスノードにメッセージを送信する７０４にて継続してよい。幾つかの実施形態では、メッセージは、ＵＥに送信されてよく、プロセス２００の２０８及び／又はプロセス６００の操作６０６と一貫性があってよい。幾つかの実施形態では、メッセージは、アクセスノードに送信されてよく、プロセス４００の４１０及び／又はプロセス５００の操作５０４と一貫性があってよい。
【００５４】
プロセス７００は、サービングアクセスノードがＵＥに測定要求を送信する７０６にて継続してよい。これは、プロセス４００の４１２と一貫性があってよい。プロセス２００を促進すると、サービングアクセスノードは、（休止状態のアクセスノードではなく）ＵＥに単一のメッセージを送信のみしてよく、それにより、操作７０６が実行されなくてよい。一方、プロセス４００を促進すると、サービングアクセスノードはまずメッセージを休止状態のアクセスノードに送信してよく（上述のプロセス４００の４１０）、そして次に、別個の測定要求をＵＥに送信してよい（プロセス４００の４１２）。かくして、幾つかの実施形態では、サービングアクセスノードは、プロセスの一部として、メッセージをＵＥに送信のみしてよく、一方で、他の実施形態では、サービングアクセスノードは、プロセスの一部として、メッセージを休止状態のアクセスノード及びＵＥの両方に送信してよい。
【００５５】
プロセス７００は、サービングアクセスノードがＵＥから測定レポートを受信し、測定レポートに少なくとも部分的に基づいてハンドオーバー決定を作成する７０８にて継続してよい。これは、プロセス２００の２１０、プロセス４００の４１４、及び／又はプロセス６００の操作６０８と一貫性があってよい。
【００５６】
本明細書で説明した様々な回路及び関連する機能は、所望のとおり構成するのに任意の適当なハードウェア及び／又はソフトウェアを用いるシステムに実装されてよい。図８は、一実施形態に対して、１又は複数のプロセッサ８０４、プロセッサ８０４のうちの少なくとも１つに結合されたシステム制御ロジック８０８、システム制御ロジック８０８に結合されたシステムメモリ８１２、システム制御ロジック８０８に結合された不揮発性メモリ（ＮＶＭ）／ストレージ８１６、システム制御ロジック８０８に結合されたネットワークインターフェース８２０、システム制御ロジック８０８に結合された複数の入出力（Ｉ／Ｏ）デバイス８３２を備える例示システム８００を示す。
【００５７】
プロセッサ８０４は、１又は複数のシングルコア又はマルチコアプロセッサを含み得る。プロセッサ８０４は、汎用プロセッサ及び専用プロセッサ（例えば、グラフィックスプロセッサ、アプリケーションプロセッサ、ベースバンドプロセッサ等）の任意の組み合わせを含み得る。プロセッサ８０４は、アプリケーションプロセッサ、グラフィックスプロセッサ、及び（ＬＴＥモデムのような）モデム又はそのようなエレメントの任意の組み合わせを組み込んでよい。例えば、幾つかの実施形態では、プロセッサ８０４は、統合アプリケーションプロセッサ及びＬＴＥモデムを含み得る。一実施形態では、プロセッサ８０４は、インテル（登録商標）ＸＭＭＴＭ８１６０チップであってよい。
【００５８】
一実施形態に対するシステム制御ロジック８０８は、プロセッサ８０４のうちの少なくとも１つ及び／又はシステム制御ロジック８０８との通信における任意の適当なデバイス又はコンポーネントに対して任意の適当なインターフェースを提供する、任意の適当なインターフェースコントローラを含み得る。
【００５９】
一実施形態に対するシステム制御ロジック８０８は、インターフェースをシステムメモリ８１２に提供する１又は複数のメモリコントローラを含み得る。システムメモリ８１２は、データ及び／又は複数の命令、例えばＤ２Ｄロジック８２４をロード及び格納するために用いられてよい。一実施形態に対するシステムメモリ８１２は、例えば適当なダイナミックランダムアクセスメモリ（ＤＲＡＭ）のような任意の適当な揮発性メモリを含み得る。
【００６０】
ＮＶＭ／ストレージ８１６は、データ及び／又は複数の命令を格納するために用いられる１又は複数の有形の非一時的コンピュータ可読媒体、例えばＤ２Ｄロジック８２４を含み得る。ＮＶＭ／ストレージ８１６は、例えばフラッシュメモリのような任意の適当な不揮発性メモリを含み得、及び／又は、例えば、１又は複数のハードディスクドライブ（ＨＤＤ）、１又は複数のコンパクトディスク（ＣＤ）ドライブ、及び／又は１又は複数のデジタル多用途ディスク（ＤＶＤ）ドライブのような任意の適当な不揮発性ストレージデバイスを含み得る。
【００６１】
ＮＶＭ／ストレージ８１６は、物理的に、システム８００が実装されるデバイスの一部であるストレージリソースを含み得、又は、そのデバイスによってアクセス可能であってよいが、必ずしもその一部でなくてよい。例えば、ＮＶＭ／ストレージ８１６は、ネットワークインターフェース８２０を介したネットワーク及び／又は入出力（Ｉ／Ｏ）デバイス８３２によりアクセスされてよい。
【００６２】
Ｄ２Ｄロジック８２４は、上述の実施形態に関して説明したように、１又は複数のプロセッサ８０４により実行されると、システム８００に、様々な回路の複数のコンポーネントに関連付けられる複数の操作及び複数のプロセスを実行させる複数の命令を含み得る。様々な実施形態では、Ｄ２Ｄロジック８２４は、システム８００に明示的に示されても示されなくてもよいハードウェア、ソフトウェア、及び／又はファームウェアコンポーネントを含み得る。
【００６３】
ネットワークインターフェース８２０は、１又は複数のネットワーク及び／又は任意の他の適当なデバイスと通信するためのシステム８００に対する無線インターフェースを提供する送受信機８２２を有し得る。様々な実施形態では、送受信機８２２は、システム８００の他の複数のコンポーネントと統合されてよい。例えば、送受信機８２２は、プロセッサ８０４のうちのプロセッサ、システムメモリ８１２のうちのメモリ、及びＮＶＭ／ストレージ８１６のうちのＮＶＭ／ストレージを含み得る。ネットワークインターフェース８２０は、任意の適当なハードウェア及び／又はファームウェアを含み得る。ネットワークインターフェース８２０は、複数の入力、複数の出力の無線インターフェースを提供する複数のアンテナを含み得る。一実施形態に対するネットワークインターフェース８２０は、例えば、有線ネットワークアダプタ、無線ネットワークアダプタ、電話モデム、及び／又は無線モデムを含み得る。
【００６４】
一実施形態に対して、プロセッサ８０４のうちの少なくとも１つは、システム制御ロジック８０８のうちの１又は複数のコントローラに対するロジックと一緒にパッケージ化されてよい。一実施形態に対して、プロセッサ８０４のうちの少なくとも１つは、システムインパッケージ（ＳｉＰ）を形成するためにシステム制御ロジック８０８のうちの１又は複数のコントローラに対するロジックと一緒にパッケージ化されてよい。一実施形態に対して、プロセッサ８０４のうちの少なくとも１つは、システム制御ロジック８０８のうちの１又は複数のコントローラに対するロジックと同一のダイ上に集積化されてよい。一実施形態に対して、プロセッサ８０４のうちの少なくとも１つは、システムオンチップ（ＳｏＣ）を形成するためにシステム制御ロジック８０８のうちの１又は複数のコントローラに対するロジックと同一のダイ上に集積化されてよい。
【００６５】
様々な実施形態では、複数のＩ／Ｏデバイス８３２は、システム８００とのユーザインタラクションを可能にするよう構成された複数のユーザインターフェース、システム８００とのペリフェラルコンポーネントインタラクションを可能にするよう構成された複数のペリフェラルコンポーネントインターフェース、及び／又は、システム８００に関連する環境状況及び／又はロケーション情報を決定するよう構成された複数のセンサを含み得る。
【００６６】
様々な実施形態では、複数のユーザインターフェースは、これらに限定されないが、ディスプレイ（例えば、液晶ディスプレイ、タッチスクリーンディスプレイ等）、スピーカ、マイク、１又は複数のカメラ（例えば、スチルカメラ及び／又はビデオカメラ）、フラッシュライト（例えば、発光ダイオードフラッシュ）、及びキーボードを含み得る。
【００６７】
様々な実施形態では、ペリフェラルコンポーネントインターフェースは、これらに限定されないが、不揮発性メモリポート、ユニバーサルシリアルバス（ＵＳＢ）ポート、オーディオジャック、イーサネット（登録商標）接続、及び電源供給インターフェースを含み得る。
【００６８】
様々な実施形態では、複数のセンサは、ジャイロセンサ、加速度計、近接センサ、環境光センサ、及び測位ユニットを含み得るが、これらに限定されない。
【００６９】
様々な実施形態では、システム８００は、これらに限定されないが、ラップトップコンピューティングデバイス、タブレットコンピューティングデバイス、ネットブック、スマートフォン等のようなモバイルコンピューティングデバイスであってよい。様々な実施形態では、システム８００は、より多くの又はより少ないコンポーネント及び／又は異なるアーキテクチャを有し得る。様々な実施形態では、システム８００は、ｅＮＢのようなアクセスノード又はスモールセルに関連付けられるより低電力のアクセスノードであってよい。
【００７０】
複数の特定の実施形態が本明細書において説明目的として例示および記載されてきたが、本開示の範囲を逸脱することなく、同一の目的を達成すると予測される広範な代替的及び／又は同等な実施形態または実装例で、示されるおよび記載される当該複数の実施形態を代用することができる。この出願は、本明細書に記載の複数の実施形態の任意の適合または変形も包含することが意図されている。従って、本明細書に記載した実施形態は、請求項及びその均等物によってのみ限定されるものと明確に意図している。
【００７１】
様々な実施形態は、上述の連結的な形（及び）で説明される複数の実施形態のうち、代替的な（又は）複数の実施形態を含む（例えば、「及び」は、「及び／又は」であってよい）、複数の上述の実施形態の任意の適当な組み合わせを含み得る。さらに、幾つかの実施形態は、実行した場合に、結果的に複数の上述の実施形態のいずれかの動作となる、そこに格納された命令を有する１又は複数の製造品（例えば、非一時的コンピュータ可読媒体）を含み得る。さらに、幾つかの実施形態は、複数の上述の実施形態の様々な操作を実行する任意の適当な手段を有する複数の装置又は複数のシステムを含み得る。
【００７２】
要約書に記載されたものを含めて、図示した複数の実装の上記説明は、網羅的であることを意図するものでもなければ、本開示の実施形態を開示された厳密な形態に限定することを意図するものでもない。特定の実装及び例が例示の目的のために本明細書に記載される一方で、当業者が認めるであろうように、本開示の範囲内で、様々に均等な変形が可能である。
【００７３】
これらの変形は、上記詳細な説明を考慮して、本開示の実施形態に対して行うことができる。以下の特許請求の範囲において使用される用語は、本開示の様々な実施形態を、明細書及び特許請求の範囲に開示された特定の実装に限定して解釈されるべきでない。むしろ、範囲は、以下の特許請求の範囲によって全体的に決定され、クレーム解釈の認められた原則に従い解釈されるべきである。
【００７４】
［例］
幾つかの非限定的な例が以下に提供される。
【００７５】
例１は、第１アクセスノードに実装される装置であって、ユーザ機器（ＵＥ）から検出メッセージを受信する通信回路と、検出メッセージに少なくとも部分的に基づいて、第１アクセスノードにより、サービングセルの提供を開始する処理回路と、第２アクセスノードにメッセージを送信する報告回路と、を備え、第２アクセスノードは、第１アクセスノードがＵＥをサーブするのに利用可能であることを示す検出メッセージに少なくとも部分的に基づいて、第１アクセスノードにより、サービングセルの提供の前に、ＵＥをサーブする、装置を含む。
【００７６】
例２は、処理回路は、サービングセルの提供を開始すると、第１同期信号（ＰＳＳ）、第２同期信号（ＳＳＳ）、及び共通基準信号（ＣＲＳ）のうちの少なくとも１つの送信を開始する、例１の装置を含む。
【００７７】
例３は、第１アクセスノードは第１サービスエリアをサーブし、第２アクセスノードは第２サービスエリアをサーブし、第１サービスエリア及び第２サービスエリアは少なくとも部分的に重複する、例１の装置を含む。
【００７８】
例４は、第１サービスエリアは、第２サービスエリアより小さい、例３の装置を含む。
【００７９】
例５は、第１サービスエリアは、実質的に第２サービスエリアに等しい、例３の装置を含む。
【００８０】
例６は、第２アクセスノードへのメッセージは、第２アクセスノードに対してハンドオーバー手順を開始する要求を含む、例１の装置を含む。
【００８１】
例７は、第２アクセスノードへのメッセージは、第１アクセスノードにより提供されるサービングセルに関する情報がサービングセル測定構成に含まれる要求を含む、例１の装置を含む。
【００８２】
例８は、検出メッセージは、デバイスツーデバイス（Ｄ２Ｄ）検出プロトコルに関連付けられる、例１から７のいずれかの装置を含む。
【００８３】
例９は、第１アクセスノードに実装される装置であって、検出メッセージを送信し、第２アクセスノードからウェイクアップメッセージを受信する通信回路と、ウェイクアップメッセージに少なくとも部分的に基づいて、第１アクセスノードにより、サービングセルの提供を開始する処理回路と、を備える装置を含む。
【００８４】
例１０は、処理回路は、さらに、第１アクセスノードがサービングセルの提供を開始すると、第１同期信号（ＰＳＳ）、第２同期信号（ＳＳＳ）、及び共通基準信号（ＣＲＳ）のうちの少なくとも１つの送信を開始する、例９の装置を含む。
【００８５】
例１１は、ＵＥをサーブしない場合、ウェイクアップメッセージを受信する前に、前記第１アクセスノードは、ＰＳＳ，ＳＳＳ、及びＣＲＳを送信しない、例１０の装置を含む。
【００８６】
例１２は、検出メッセージは、デバイスツーデバイス（Ｄ２Ｄ）検出プロトコルに関連付けられる、例９から１１のいずれかの装置を含む。
【００８７】
例１３は、ユーザ機器（ＵＥ）に実装される装置であって、第１アクセスノードから検出メッセージを受信する通信回路と、第１アクセスノードに対して測定を要求する第２アクセスノードにメッセージを送信する報告回路と、を備える装置を含む。
【００８８】
例１４は、第１アクセスノードからの検出メッセージに基づいて品質指標を測定する測定回路をさらに備える、例１３の装置を含む。
【００８９】
例１５は、品質指標は、信号対ノイズ比（ＳＮＲ）である、例１４の装置を含む。
【００９０】
例１６は、通信回路は、さらに、少なくとも１つの追加アクセスノードから検出メッセージを受信し、装置は、さらに、第１アクセスノードからの検出メッセージに基づいて第１品質指標を、少なくとも１つの追加アクセスノードからの検出メッセージに基づいて第２品質指標を測定する測定回路を備える、例１３の装置を含む。
【００９１】
例１７は、装置は、さらに、報告回路に通信可能に結合される処理回路を備え、処理回路は、第１及び第２品質指標を比較し、比較に基づいて優先アクセスノードを特定し、優先アクセスノードに関する情報を報告のために報告回路に送信する、例１６の装置を含む。
【００９２】
例１８は、通信回路は、さらに、ＵＥが第１アクセスノードに関連する測定レポートを生成することを要求する第２アクセスノードからメッセージを受信する、例１３の装置を含む。
【００９３】
例１９は、第１アクセスノードからの検出メッセージは、デバイスツーデバイス（Ｄ２Ｄ）検出プロトコルに関連付けられる、例１３から１８のいずれかの装置を含む。
【００９４】
例２０は、進化型ノードＢ（ｅＮＢ）に実装される装置であって、ユーザ機器（ＵＥ）及びアクセスノードの一方から、ＵＥをサーブするアクセスノードの利用可能性に関する第１メッセージを受信する通信回路と、ＵＥ及びアクセスノードの他方に、アクセスノードの利用可能性及びＵＥの存在の一方に関する第２メッセージを送信する報告回路と、を備える装置を含む。
【００９５】
例２１は、第１メッセージはＵＥから送信され、アクセスノードに対する測定の要求を含む、例２０の装置を含む。
【００９６】
例２２は、第２メッセージは、アクセスノードに送信され、ウェイクアップコマンドを含む、例２１の装置を含む。
【００９７】
例２３は、第１メッセージはアクセスノードから送信され、特定のＵＥのハンドオーバーの要求を含む、例２０の装置を含む。
【００９８】
例２４は、報告回路は、さらに、ＵＥに、第２メッセージに代えて又は加えてアクセスノードに関連する測定レポートの要求を送信する、例２０の装置を含む。
【００９９】
例２５は、第１メッセージは、デバイスツーデバイス（Ｄ２Ｄ）検出プロトコルに関連付けられる、例２０から２４のいずれかの装置を含む。
【図１】
2017509241.tif 000003
【図２】
2017509241.tif 000004
【図３】
2017509241.tif 000005
【図４】
2017509241.tif 000006
【図５】
2017509241.tif 000007
【図６】
2017509241.tif 000008
【図７】
2017509241.tif 000009
【図８】
2017509241.tif 000010
【国際調査報告】
2017509241.tif 000011
2017509241.tif 000012